(57)【要約】      （修正有）【課題】フローリングワイパーのヘッド部に着脱自在に取り付けられ、使用後は取り外して洗って何回でも使用できる上、清掃能力が高められた超極細繊維クロスを提供する。【解決手段】フローリングワイパーａをなす下端のヘッド部ｂに着脱自在な耳部６、７を備えたクロス体１で成り、クロス体１の下面には、塵埃のかき出し能力を高めた毛足の長いマイクロファイバー繊維部５・・・が複数取り付けられている。クロス体１の前後にそれぞれ布製の前方耳部６と後方耳部７に形成されており、フローリングワイパーａのヘッド部ｂの下面ｆにクロス体１の上面２が当設された状態で、前記前方耳部６と後方耳部７が折曲されて、ヘッド部ａの上面ｅに形成された複数の係止溝ｃに係止自在である。【選択図】図３
0003163139.tif 000002
【実用新案登録請求の範囲】
【請求項１】
フローリングワイパーをなす下端のヘッド部に着脱自在な耳部を備えたクロス体で成り、前記クロス体の下面には、塵埃のかき出し能力を高めた毛足の長いマイクロファイバー繊維部が複数取り付けられていることを特徴とするフローリングワイパー用超極細繊維クロス。
【請求項２】
クロス体の前後にそれぞれ布製の耳部が設けられて前方耳部と後方耳部に形成されており、フローリングワイパーのヘッド部の下面にクロス体の上面が当設された状態で、前記前方耳部と後方耳部が折曲されて、ヘッド部の上面に形成された複数の係止溝に前記前方耳部の上面と後方耳部の上面が係止自在に構成されていることを特徴とする、請求項１に記載したフローリングワイパー用超極細繊維クロス。
【請求項３】
超極細繊維で成る１個のマイクロファイバー繊維部は、全長が約２５ｍｍ、直径が約７ｍｍの円柱状に形成されていることを特徴とする、請求項１又は２に記載したフローリングワイパー用超極細繊維クロス。
【請求項４】
マイクロファイバー繊維部が複数取り付けられているクロス体及び布製の前方耳部と後方耳部は吸水性と速乾性があり、洗浄して繰り返し使用可能に形成されていることを特徴とする、請求項１〜４のいずれか１項に記載したフローリングワイパー用超極細繊維クロス。
【考案の詳細な説明】
【技術分野】
【０００１】
本考案は、フローリングワイパー用超極細繊維クロスに係り、さらに言えば、フローリング（床面）を掃除する際に用いるフローリングワイパー（清掃具）のヘッド部に着脱自在に取り付けられ、使用後は取り外して洗って何回でも使用できて、清掃能力が高められた超極細繊維クロスの技術分野に関する。
【背景技術】
【０００２】
フローリングの部屋を掃除するために、フローリングワイパー（清掃具）が使用されていることは周知に属する。フローリングワイパーをなす長い柄の先端（下端）には、ヘッド部と呼ばれる水平な板材が設けられている。
【０００３】
前記のフローリングワイパーのヘッド部には、紙シートを取り付けて使用することが一般だが、汚れた時点でその紙シートは捨ててしまう使い捨てタイプである。
【０００４】
この点、特開２００３−１６４４１０公開公報には、掃除具にフローリング清掃用シートを表裏反転して装着使用する床用清掃用具において、該掃除具のフローリング清掃用シート装着面に該装着面の汚れを防止するためのシート状、不繊布状またはフィルム状の汚れ防止用シートを着脱可能に取付け、この汚れ防止用シートを介して該フローリング清掃用シートを装着することを特徴とする床用清掃用具およびそれに用いられる汚れ防止用シート（請求項１）が開示されている。
【先行技術文献】
【特許文献】
【０００５】
【特許文献１】特開２００３−１６４４１０公開公報
【考案の概要】
【考案が解決しようとする課題】
【０００６】
前記文献１の床用清掃用具およびそれに用いられる汚れ防止用シートによれば、清掃用シートを両面使用する場合に、清掃用具本体を清潔に使用することができ、衛生管理面での有用性が大で、従来に比べて使用寿命が延ばせられる。
【０００７】
しかし、その清掃用シートは両面の使用を終えると捨ててしまうので、なお使用頻度を高められていない。また、そのように両面使用するために、わざわざ汚れ防止用シートを準備して使用する煩わしさがある。
【０００８】
さらに、清掃用シートは平面的な紙シートなので、ゴミ（塵埃）のかき出し能力は弱く、フローリングの掃除に万全を期すことができない。
【０００９】
したがって、本考案が解決しようとする課題は、フローリングワイパーのヘッド部に着脱自在に取り付けられ、使用後は取り外して洗って何回でも使用できる上、清掃能力が高められたフローリングワイパー用の超極細繊維クロスを提供することにある。
【課題を解決するための手段】
【００１０】
上記課題を解決するための手段として、請求項１記載の考案のフローリングワイパー用超極細繊維クロスは、フローリングワイパーａをなす下端のヘッド部ｂに着脱自在な耳部６、７を備えたクロス体１で成り、前記クロス体１の下面３には、塵埃のかき出し能力を高めた毛足の長いマイクロファイバー繊維部５が複数取り付けられていることを特徴とする。
【００１１】
請求項２記載の考案のフローリングワイパー用超極細繊維クロスは、前記クロス体１の前後にそれぞれ布製の耳部が設けられて前方耳部６と後方耳部７に形成されており、フローリングワイパーａのヘッド部ｂの下面ｆにクロス体１の上面２が当設された状態で、前記前方耳部６と後方耳部７が折曲されて、ヘッド部ａの上面ｅに形成された複数の係止溝ｃに、前記前方耳部６の上面６ａと後方耳部７の上面７ａが係止自在に構成されていることを特徴とする。
【００１２】
請求項３記載の考案のフローリングワイパー用超極細繊維クロスは、前記超極細繊維で成る１個のマイクロファイバー繊維部５は、全長が約２５ｍｍ、直径が約７ｍｍの円柱状に形成されていることを特徴とする。
【００１３】
請求項４記載の考案のフローリングワイパー用超極細繊維クロスは、前記マイクロファイバー繊維部５が複数取り付けられているクロス体１及び布製の前方耳部６と後方耳部７は吸水性と速乾性があり、洗浄して繰り返し使用可能に形成されていることを特徴とする。
【考案の効果】
【００１４】
請求項１の本考案のフローリングワイパー用超極細繊維クロスは、フローリングワイパーをなす下端のヘッド部に着脱自在な耳部を備えたクロス体で成り、前記クロス体の下面には、塵埃のかき出し能力を高めた毛足の長いマイクロファイバー繊維部が複数取り付けられているので、耳部を用いてフローリングワイパーのヘッド部に簡単に取り付けられ、使用後はヘッド部から耳部を取り外せば簡単に当該クロスをフローリングワイパーから離脱でき、何回でも洗って何回でも再度使用できる上、クロス体下面のマイクロファイバー繊維部により清掃能力の向上に寄与する。
【００１５】
請求項２の本考案は、クロス体の前後にそれぞれ布製の耳部が設けられて前方耳部と後方耳部に形成されているので、ヘッド部下面へのクロス体上面の当設状態で、前方耳部と後方耳部を上方へ折り曲げ、ヘッド部の上面に形成された複数の係止溝に、折り曲げられた各前方耳部と後方耳部の上面を係止するだけで、当該超極細繊維クロスのヘッド部への取り付けが完了する使い勝手に優れる。
【００１６】
請求項３の本考案は、超極細繊維で成る１個のマイクロファイバー繊維部の全長が約２５ｍｍ、直径が約７ｍｍの円柱状に形成され、それが多数存するので、各マイクロファイバー繊維部の間に、清掃中の塵埃（ゴミ）がかき出されて清掃能力の向上に威力が発揮される。
【００１７】
請求項４の本考案は、マイクロファイバー繊維部が複数取り付けられているクロス体及び布製の前方耳部と後方耳部は吸水性と速乾性があり、汚れたときに洗浄すると直ぐに乾いて繰り返し使用できる利便性に優れ、従来の清掃用シート等を使い捨てることがないので環境にもやさしい。
【考案を実施するための最良の形態】
【００１８】
本考案に係るフローリングワイパー用超極細繊維クロスの好適な実施形態を、以下図面にしたがって説明する。
【００１９】
この超極細繊維クロスが使用されるフローリングワイパーａは、図３に先端部分を一部示したように、手で握持する柄の部分の下端の先端にヘッド部ｂが形成されており、このヘッド部ｂが柄の部分と自在継手により接続され、フローリング上で回動自在に構成されている。このヘッド部ｂの上面ｅに、図面上は現れていないが切り込みを有する係止溝ｃが４個所形成されている。
【００２０】
本実施形態の超極細繊維クロスは、図１に示したように、全体は布製で、長手方向の横幅が約２７ｃｍ、短手方向の縦が約２４ｃｍの長方形の平板状をベースとしたクロス体１で構成され、前後部分にそれぞれ薄い耳部が設けられている。すなわち同図上、手前に位置する前方の横長部分（横×縦＝２７ｃｍ×７ｃｍ）に前方耳部６が、奥に位置する後方の横長部分（横×縦＝２７ｃｍ×７ｃｍ）に後方耳部７がそれぞれ形成されている。
【００２１】
よって、これら前後の前方耳部６と後方耳部７は、上述したフローリングワイパーａのヘッド部ｂの上面ｅの４つの係止溝ｃ・・・に対し、係止自在（着脱自在）に形成されている。
【００２２】
具体的には、フローリングワイパーａのヘッド部ｂの下面ｆにクロス体１の上面２が当設された状態で（図３参照）、これら前方耳部６と後方耳部７が折り曲げられて、ヘッド部ａの係止溝ｃに、前方耳部６と後方耳部７の各上面６ａ、７ａを簡単に係止させることができる。
【００２３】
次に、前記前方耳部６と後方耳部７を除くクロス体１の横長の中央部（横×縦＝２７ｃｍ×１０ｃｍ）の下面３には、塵埃のかき出し能力を高めた毛足の長いマイクロファイバー繊維部５が複数取り付けられている。このマイクロファイバー繊維部５は、毛髪の約１／１００の細さの超極細繊維で形成され、図示例における１個のマイクロファイバー繊維部５は、長さが約２５ｍｍ、直径が約７ｍｍの円柱状に形成されている。
【００２４】
このマイクロファイバー繊維部５が多数、略等間隔で取り付けられている。本実施形態では、横方向に２６個配置されたものが縦方向に１４列で、合計３６４個ものマイクロファイバー繊維部５・・・がクロス体１の中央の下面３に取り付けられている。
【００２５】
よって、フローリングワイパーａのヘッド部ｂへ当該クロス体１を取り付けた状態で、前記ヘッド部ｂの下面を多数のマイクロファイバー繊維部５・・・が十分に埋め尽くし、あたかもフローリングワイパーａは、その先端に多数のマイクロファイバー繊維部５・・・を元々備えているのと同感覚の態様で使用される（図３）。
【００２６】
したがって、当該超極細繊維クロスが実際に使用される図３に示した使用状態では、当該多数のマイクロファイバー繊維部５・・・が下向きに垂れ（図４参照）、この毛足の長い多数のマイクロファイバー繊維部５・・・によって、ゴミをかき出す面が広く確保され、フローリング上のゴミを効率よく集める掃除能力が高められている。
【００２７】
また前記のマイクロファイバー繊維部５や前方耳部６と後方耳部７には吸水性と速乾性があるので、当該クロス体１は洗浄して直ぐに使用できて臭いも発生しずらいのである。
【図面の簡単な説明】
【００２８】
【図１】フローリングワイパー用超極細繊維クロスを裏面から示した全体斜視図である。
【００２９】
【図２】フローリングワイパー用超極細繊維クロスを上面から示した全体斜視図である。
【００３０】
【図３】フローリングワイパー（ヘッド部）への耳部の取付け状態を示した斜視図である。
【００３１】
【図４】図３の取付け状態を裏面から示した斜視図である。
【符号の説明】
【００３２】
１      クロス体
２      上面
３      下面
５      マイクロファイバー繊維部
６      前方耳部
６ａ    上面
７      後方耳部
７ａ    上面
ａ      フローリングワイパー
ｂ      ヘッド部
ｃ      係止溝
ｅ      上面
ｆ      下面
【図１】
0003163139.tif 000003
【図２】
0003163139.tif 000004
【図３】
0003163139.tif 000005
【図４】
0003163139.tif 000006